(57)【要約】【課題】公開された作業対象に対する作業手順を忠実に再現可能な手順補足情報を提供する情報処理装置、情報処理方法、情報処理プログラム、および情報処理システムを提供することを目的とする。【解決手段】手順補足情報位置特定手段１４１が、作業手順情報を閲覧した閲覧者が作業手順情報に従って作業を実施した際に、作業対象を正確に再現するために補足、かつ投稿者および閲覧者で共有するための手順補足情報が、作業手順情報に付加される位置を特定し、手順補足情報受付手段１４２が、手順補足情報付加位置に関連させた手順補足情報を受け付ける【選択図】図１
2019204337.tif 000002
【特許請求の範囲】
【請求項１】
作業対象に対する複数の作業手順を示す文字情報、または作業手順を示す作業手順画像と前記作業手順画像毎に付加される文字情報とからなる投稿者による作業手順情報を提供する情報処理装置において、
前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定する手順補足情報位置特定手段と、
前記手順補足情報付加位置に関連させた前記手順補足情報を受け付ける手順補足情報受付手段と、
を備えることを特徴とする情報処理装置。
【請求項２】
前記作業手順情報を構成する１つの画像情報または文字情報を作業手順に沿って順次切り替えてスライド再生するスライド再生手段、
を備えることを特徴とする請求項１記載の情報処理装置。
【請求項３】
前記手順補足情報位置特定手段は、
前記スライド再生手段がスライド再生するスライド単位毎に位置を特定すること、
を特徴とする請求項２記載の情報処理装置。
【請求項４】
前記手順補足情報位置特定手段は、
前記文字情報のうち所望の位置に配列された任意の文字列で前記手順補足情報位置を特定すること、
を特徴とする請求項１記載の情報処理装置。
【請求項５】
前記手順補足情報位置特定手段は、
前記作業手順画像の所望の位置および範囲で前記手順補足情報位置を特定すること、
を特徴とする請求項１記載の情報処理装置。
【請求項６】
手順補足情報受付手段は、
前記手順補足情報位置特定手段が特定した位置に基づいて、前記閲覧作業者による評価を受け付ける評価受付手段、
を備えることを特徴とする請求項１記載の情報処理装置。
【請求項７】
前記評価受付手段は、
前記閲覧作業者によって選択式に評価される選択式評価を受け付けること、
を特徴とする請求項６記載の情報処理装置。
【請求項８】
前記選択式評価は、
ネガティブな評価であること
を特徴とする請求項７記載の情報処理装置。
【請求項９】
前記作業手順画像は、
動画情報を含むこと、
を特徴とする請求項１記載の情報処理装置。
【請求項１０】
前記作業手順情報を印刷情報として出力する印刷情報出力手段、
を備えることを特徴とする請求項1記載の情報処理装置。
【請求項１１】
作業対象に対する複数の作業手順を示す文字情報、または作業手順を示す作業手順画像と前記作業手順画像毎に付加される文字情報とからなる投稿者による作業手順情報を提供する情報処理方法において、
手順補足情報位置特定手段が、前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定するステップと、
手順補足情報受付手段が、前記手順補足情報付加位置に関連させた前記手順補足情報を受け付けるステップと、
を備えることを特徴とする情報処理方法。
【請求項１２】
作業対象に対する複数の作業手順を示す文字情報、または作業手順を示す作業手順画像と前記作業手順画像毎に付加される文字情報とからなる投稿者による作業手順情報を提供する情報処理システムにおいて、
前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定する手順補足情報位置特定手段と、
前記手順補足情報付加位置に関連させた前記手順補足情報を受け付ける手順補足情報受付手段と、
を備えることを特徴とする情報処理システム。
【請求項１３】
作業対象に対する複数の作業手順を示す文字情報、または作業手順を示す作業手順画像と前記作業手順画像毎に付加される文字情報とからなる投稿者による作業手順情報を提供する情報処理プログラムにおいて、
コンピュータを、
前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定する手順補足情報位置特定手段、
前記手順補足情報付加位置に関連させた前記手順補足情報を受け付ける手順補足情報受付手段、
として機能させることを特徴とする情報処理プログラム。
【発明の詳細な説明】
【技術分野】
【０００１】
本発明は、情報処理装置、情報処理方法、情報処理プログラム、および情報処理システムに関し、特に作業対象に対する複数の作業手順を示す文字情報、または作業手順を示す作業手順画像と前記作業手順画像毎に付加される文字情報とからなる作業手順情報を提供する情報処理装置、情報処理方法、情報処理プログラム、および情報処理システムに関する。
【背景技術】
【０００２】
従来、インターネットに接続されたアプリケーションを通じて、共通の関心分野や価値観などを持った利用者が集まり、お互いの情報を共有、または情報を発信してコミュニケーションが行なわれるインターネット上のコミュニティを作るサービスが提供されている。
【０００３】
同じ興味分野としては様々な分野があり、例えば料理情報の分野では、インターネットを介して、投稿者がレシピや、調理過程の写真、動画を投稿することによって、調理手順情報が閲覧者に提供されるサービスが知られている。
【０００４】
提供された調理手順情報は、閲覧者が指定した条件に基づいて検索され、検索された調理手順情報が閲覧者に提示される。また閲覧者の属性情報を取得することで、閲覧者の属性に基づいた調理手順情報が提供される情報処理装置がある（たとえば、特許文献１参照）。
【０００５】
図２３は、特許文献１で公開された情報処理装置の機能構成の一例を示すブロック図である。
図２３に示すように情報処理装置１は、行動履歴取得部１１、データ生成部１２、推定部１３、および情報提供部１４を有する制御部１０と、記憶部２０と、通信部３０とを備えている。
【０００６】
情報処理装置１は、まず行動履歴取得部１１が料理情報を掲載するウェブサイトにおける各ユーザの行動を表す行動履歴、例えば各ユーザのウェブサイトにおけるレシピやレポートの閲覧履歴、あるいはレシピやレポートの投稿履歴などを取得する。
【０００７】
次に、データ生成部１２が、属性が既知である第１ユーザの属性情報を取得し、取得した属性情報と第１ユーザの行動履歴に基づいて、料理情報に含まれる文字列と第１ユーザの属性との対応関係を表す関係情報データを生成する。
【０００８】
その後、推定部１３が、属性が未知である第２ユーザの属性を、第２ユーザの行動履歴と生成した関係情報データに基づいて推定する。
そして、推定部１３が、第２ユーザの属性を、第２ユーザの行動履歴を示す第２行動履歴と関係情報データとに基づいて推定し、情報提供部１４が、推定した第２ユーザの属性に基づいて、第２ユーザにウェブサイトにおける各表示欄やレシピ等の表示順の変更、ピックアップ項目の変更等を行うなどの情報の提供を行なう。
【０００９】
これにより、ウェブサイトにアクセスした第２ユーザの属性を、属性が既知の第１ユーザの行動履歴に基づいて推定し、推定した属性に基づいて第２ユーザに適した情報を提供することが可能となる。
【００１０】
図２４は、特許文献１で公開された情報処理装置が提供するウェブサービスの表示画面の一例を示す図である。
情報処理装置１は、ユーザが新規に作成したレシピを投稿するレシピ投稿機能とレシピに対する感想等を投稿するレポート投稿機能との２つの投稿機能を提供しており、このレシピおよびレポートの投稿機能により投稿された情報は、ウェブサイト上で公開され、他のユーザからも参照可能になる。
【００１１】
図２４に示すように、ウェブサイトを表示する表示画面５０は、ユーザがレシピを検索するための検索欄５１、レシピの投稿を開始するためのレシピ投稿ボタン５２、ピックアップされたレシピを表示するためのピックアップレシピ表示欄５３、レシピのカテゴリを表示するためのレシピカテゴリー表示欄５４、定期的に更新される各種コンテンツを表示するためのコンテンツ表示欄５５、および、その他の情報が表示されるその他情報表示欄５６を備えている。
【００１２】
特許文献１で公開された情報処理装置１は、図２４で示される料理情報を掲載するウェブサイトにおける各ユーザの行動を表す行動履歴、例えば各ユーザのウェブサイトにおけるレシピやレポートの閲覧履歴、あるいはレシピやレポートの投稿履歴などを取得する。
【００１３】
情報処理装置１は、属性が既知である第１ユーザの属性情報を行動履歴取得部１１が取得し、取得した属性情報と当該ユーザの行動履歴に基づいて、料理情報に含まれる文字列とユーザの属性との対応関係を表す関係情報データをデータ生成部１２が生成する。
【００１４】
その後、情報処理装置１は、属性が未知である第２ユーザの属性を、行動履歴取得部１１が取得した第１ユーザの行動履歴とデータ生成部１２が生成した関係情報データとに基づいて推定部１３推定する。
【００１５】
その後、情報処理装置１は、推定部１３が推定した第２ユーザの属性に基づいて、第２ユーザに適した情報の提供を情報提供部１４行う。
具体的には、ウェブサイトにおけるピックアップレシピ表示欄５３、レシピカテゴリー表示欄５４、コンテンツ表示欄５５、および、その他表示欄などの各表示欄に表示する内容や、レシピ等の表示順の変更、ピックアップ項目の変更等を行う。
【００１６】
これにより、ウェブサイトにアクセスした第２ユーザの属性を、属性が既知の第１ユーザの行動履歴に基づいて推定し、推定した属性に基づいて第２ユーザに適した情報を提供することが可能となる。
【先行技術文献】
【特許文献】
【００１７】
【特許文献１】特許第６２７００８５公報
【発明の概要】
【発明が解決しようとする課題】
【００１８】
しかし、ウェブにアクセスして調理手順情報を検索する第２ユーザの目的は、検索した調理手順に基づいて料理を正しく完成させることであり、第２ユーザに適した情報を得るだけでは、第１ユーザが投稿した第２ユーザが希望する料理を再現することができない問題があった。
【００１９】
具体的には、特許文献１で公開された情報処理装置１で提供または推定されて提供される調理手順情報は、投稿者による一方的な調理手順情報であり、投稿者が作成した調理手順情報がウェブ上に公開されている。
【００２０】
つまり投稿者が投稿した調理手順情報に不備や、省略した手順があった場合、閲覧者は不備のある手順のまま調理したり、省略された手順が不明のまま調理したりすることになる。つまりこれでは、閲覧者は投稿者が投稿した料理と同じ調理手順を踏めないため、投稿者が投稿した料理を正しく再現することができない。
【００２１】
また投稿者によって投稿された情報は、投稿時には最新の情報であっても年月が経過すれば古い情報になってしまう問題もある。例えば投稿時には適した調理手順や材料であったが、現在では使用できない材料であったり、投稿時には最新の調理方法であったが、現在ではもっと効率的な調理方法が開発されたりする場合もある。
【００２２】
このような古い情報に基づいて調理する閲覧者は、非効率な調理方法で調理したり、使用できない材料を使用したりすることになり、閲覧者は古い情報を参照したことにより損害を被ることになる。
【００２３】
本発明はこのような点に鑑みてなされたものであり、公開された作業対象に対する作業手順を忠実に再現可能とするための情報処理装置、情報処理方法、情報処理プログラム、および情報処理システムを提供することを目的とする。
【課題を解決するための手段】
【００２４】
本発明では上記問題を解決するために、作業対象に対する複数の作業手順を示す文字情報、または作業手順を示す作業手順画像と前記作業手順画像毎に付加される文字情報とからなる投稿者による作業手順情報を提供する情報処理装置において、前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定する手順補足情報位置特定手段と、前記手順補足情報付加位置に関連させた前記手順補足情報を受け付ける手順補足情報受付手段とを備えることを特徴とする情報処理装置が提供される。
【００２５】
これにより、手順補足情報位置特定手段が、作業手順情報を閲覧した閲覧者が作業手順情報に従って作業を実施した際に、作業対象を正確に再現するために補足、かつ投稿者および閲覧者で共有するための手順補足情報が、作業手順情報に付加される位置を特定し、手順補足情報受付手段が、手順補足情報付加位置に関連させた手順補足情報を受け付ける。
【００２６】
また本発明では、作業対象に対する複数の作業手順を示す文字情報、または作業手順を示す作業手順画像と前記作業手順画像毎に付加される文字情報とからなる投稿者による作業手順情報を提供する情報処理方法において、手順補足情報位置特定手段が、前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定するステップと、手順補足情報受付手段が、前記手順補足情報付加位置に関連させた前記手順補足情報を受け付けるステップとを備えることを特徴とする情報処理方法が提供される。
【００２７】
これにより、手順補足情報位置特定手段が、作業手順情報を閲覧した閲覧者が作業手順情報に従って作業を実施した際に、作業対象を正確に再現するために補足、かつ投稿者および閲覧者で共有するための手順補足情報が、作業手順情報に付加される位置を特定し、手順補足情報受付手段が、手順補足情報付加位置に関連させた手順補足情報を受け付ける。
【００２８】
また本発明では、作業対象に対する複数の作業手順を示す文字情報、または作業手順を示す作業手順画像と前記作業手順画像毎に付加される文字情報とからなる投稿者による作業手順情報を提供する情報処理システムにおいて、前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定する手順補足情報位置特定手段と、前記手順補足情報付加位置に関連させた前記手順補足情報を受け付ける手順補足情報受付手段とを備えることを特徴とする情報処理システムが提供される。
【００２９】
これにより、手順補足情報位置特定手段が、作業手順情報を閲覧した閲覧者が作業手順情報に従って作業を実施した際に、作業対象を正確に再現するために補足、かつ投稿者および閲覧者で共有するための手順補足情報が、作業手順情報に付加される位置を特定し、手順補足情報受付手段が、手順補足情報付加位置に関連させた手順補足情報を受け付ける。
【００３０】
また本発明では、作業対象に対する複数の作業手順を示す文字情報、または作業手順を示す作業手順画像と前記作業手順画像毎に付加される文字情報とからなる投稿者による作業手順情報を提供する情報処理プログラムにおいて、コンピュータを、前記作業手順情報を閲覧した閲覧者が前記作業手順情報に従って作業を実施した際に、前記作業対象を正確に再現するために補足、かつ投稿者および閲覧者で共有するための手順補足情報が、前記作業手順情報に付加される位置を特定する手順補足情報位置特定手段、前記手順補足情報付加位置に関連させた前記手順補足情報を受け付ける手順補足情報受付手段として機能させることを特徴とする情報処理プログラムが提供される。
【００３１】
これにより、手順補足情報位置特定手段が、作業手順情報を閲覧した閲覧者が作業手順情報に従って作業を実施した際に、作業対象を正確に再現するために補足、かつ投稿者および閲覧者で共有するための手順補足情報が、作業手順情報に付加される位置を特定し、手順補足情報受付手段が、手順補足情報付加位置に関連させた手順補足情報を受け付ける。
【発明の効果】
【００３２】
本発明の情報処理装置、情報処理方法、情報処理プログラム、および情報処理システムによれば、手順補足情報位置特定手段が、作業手順情報を閲覧した閲覧者が作業手順情報に従って作業を実施した際に、作業対象を正確に再現するために補足、かつ投稿者および閲覧者で共有するための手順補足情報が、作業手順情報に付加される位置を特定し、手順補足情報受付手段が、手順補足情報付加位置に関連させた手順補足情報を受け付けるので、作業対象を正確に再現するための補足情報が手順補足情報付加位置に付加された作業手順情報を提供できるため、公開された作業対象に対する作業手順を忠実に再現することができる。
【図面の簡単な説明】
【００３３】
【図１】第１の実施の形態に係る情報処理装置の構成を示すブロック図である。
【図２】第１の実施の形態に係る情報処理装置のネットワーク構成を示すブロック図である。
【図３】投稿者によって投稿されたコンテンツ情報を情報処理装置が受信してから、投稿されたコンテンツ情報が投稿者３００によって更新されるまでの処理を示すフローチャートである。
【図４】補足情報取得部の詳細を示すブロック図である。
【図５】補足情報受付部の詳細を示すブロック図である。
【図６】表示情報生成部の詳細を示すブロック図である。
【図７】記憶部の詳細を示すブロック図である。
【図８】コンテンツ情報記憶部の詳細を示すブロック図である。
【図９】補足情報記憶部の詳細を示すブロック図である。
【図１０】コンテンツ情報および補足情報によるスライド表示情報の概念を示すブロック図である。
【図１１】補足情報位置特定部が特定し補足情報位置記憶部に記憶する補足情報の位置情報のデータ構造例を示す図である。
【図１２】評価情報記憶部が記憶する評価情報のデータ構造例を示す図である。
【図１３】コメント情報記憶部が記憶するコメント情報のデータ構造例を示す図である。
【図１４】投稿者が投稿するコンテンツ情報の編集画面の一例を示す図である。
【図１５】投稿者が投稿したコンテンツ情報を閲覧者が閲覧する通常表示の表示画面の一例を示す図である。
【図１６】投稿者が投稿したコンテンツ情報を閲覧者が閲覧するコンテンツ情報が拡大表示されたスライド表示情報の一部の表示画面を示す図である。
【図１７】補足情報位置特定部が特定し補足情報位置記憶部に記憶する補足情報の位置情報のデータ構造例を示す図である。
【図１８】投稿者が投稿したコンテンツ情報を閲覧者が閲覧するコンテンツ情報が拡大表示されたスライド表示情報の一部の表示画面を示す図である。
【図１９】補足情報位置特定部が特定し補足情報位置記憶部に記憶する補足情報の位置情報のデータ構造例を示す図である。
【図２０】投稿者が投稿したコンテンツ情報を閲覧者が閲覧するコンテンツ情報が拡大表示されたスライド表示情報の一部の表示画面を示す図である。
【図２１】投稿者が投稿したコンテンツ情報を閲覧者が閲覧するコンテンツ情報が拡大表示されたスライド表示情報の一部の表示画面を示す図である。
【図２２】コンテンツ情報を印刷用に出力した印刷情報の一例を示す図である。
【図２３】特許文献１で公開された情報処理装置の機能構成の一例を示すブロック図である。
【図２４】特許文献１で公開された情報処理装置が提供するウェブサービスの表示画面の一例を示す図である。
【発明を実施するための形態】
【００３４】
以下、本発明の実施の形態を、図面を参照して詳細に説明する。
〔第１の実施の形態〕
図１は、第１の実施の形態に係る情報処理装置の構成を示すブロック図である。
【００３５】
図１に示すように情報処理装置１００は、通信手段１１０、コンテンツ情報取得部１２０、表示情報生成部１３０、補足情報取得部１４０、および記憶部１５０を備えている。
【００３６】
通信手段１１０は、データの送受信を可能とする通信装置であって、例えば、ネットワーク２００に接続するための通信デバイスなどで構成された通信インタフェースである。例えば通信手段１１０は、有線によるケーブル通信を行うケーブル通信装置や、無線通信による通信を行なう無線ＬＡＮ（Local Area Network）対応通信装置などとすることができる。
【００３７】
コンテンツ情報取得部１２０は、通信手段１１０および記憶部１５０に接続されており、図示しない投稿者３００から投稿されたコンテンツ情報を、通信手段１１０に接続されたネットワーク２００を介して取得するためのものである。コンテンツ情報取得部１２０が取得したコンテンツ情報は、接続された記憶部１５０に記憶される。
【００３８】
なお、ここでいうコンテンツ情報とは、投稿者３００が投稿する文字情報、静止画像、動画などで構成される情報であり、例えば、「料理のレシピ」や「ラッピングリボンの結び方の手順」などの投稿者３００によって提供される作業対象に対する作業手順を示す情報である。
【００３９】
表示情報生成部１３０は、通信手段１１０および記憶部１５０に接続されており、記憶部１５０に記憶された情報に基づいて、例えば、投稿者を含む図示しない閲覧者４００の有するコンピュータなどの端末機器に接続されたモニターや、コンピュータに搭載されたウェブブラウザなどに表示するための表示情報を生成するためのものである。
【００４０】
例えば、コンテンツ情報取得部１２０によって記憶部１５０に記憶されたコンテンツ情報やコンテンツ情報に付帯する情報を、ＨＴＭＬ（Hyper Text Markup Language）のような言語を用いて、コンピュータに搭載されたウェブブラウザに表示するためのウェブページを生成することができ、表示されたウェブページは閲覧者４００によって閲覧が可能となる。同様に、補足情報取得部１４０が取得した補足情報など、記憶部１５０に記憶された情報に基づいて、表示情報生成部１３０は表示情報を生成することができる。
【００４１】
表示情報生成部１３０が生成した表示情報は、通信手段に接続されたネットワーク２００を介して、閲覧者が有する端末機器に送信され、端末機器に接続された表示装置などによって表示情報が表示される。
【００４２】
補足情報取得部１４０は、通信手段１１０および記憶部１５０に接続されており、通信手段１１０に接続されたネットワーク２００を介して補足情報を取得するためのものである。補足情報取得部１４０が取得した補足情報は、接続された記憶部１５０に記憶される。
【００４３】
なお、ここでいう補足情報とは、投稿者３００が投稿したコンテンツ情報をコンテンツ情報取得部１２０が取得し、表示情報生成部１３０がネットワーク２００を介して閲覧者４００に送信されたコンテンツ情報に対して、閲覧者４００がコンテンツ情報を補足するための文字情報、静止画像、動画などで構成される情報であり、例えば、「料理のレシピ」に対する評価や補足説明、「ラッピングリボンの結び方の手順」に対する評価や補足説明などの情報である。
【００４４】
また補足情報取得部１４０は、補足情報を取得する際に、コンテンツ情報に対して補足情報を付加する特定の位置に関連させて、補足情報を取得することができる。これにより、閲覧者４００が補足する補足情報を付加する特定の位置を明確にすることができる。
【００４５】
第１の実施の形態に係る情報処理装置では、コンテンツ情報取得部１２０が取得した投稿者３００の投稿によるコンテンツ情報に基づいて、表示情報生成部１３０がコンテンツ表示情報を生成し、ネットワーク２００を介して閲覧者４００の端末機器に表示されるコンテンツ表示情報を閲覧者４００が閲覧し、閲覧されたコンテンツ表示情報に対する閲覧者４００が送信した補足情報を、補足情報取得部１４０が補足情報を付加する位置に関連させて取得し、取得した補足情報を表示情報生成部１３０が補足表示情報を生成し、ネットワーク２００を介して閲覧者４００の端末機器に表示されるので、投稿者が入力したコンテンツ情報の手順に問題や不備があっても、補足情報によって投稿者３００による手順対象を忠実に再現できるようになる。
【００４６】
また投稿者３００は、閲覧者４００による補足情報に基づいて、投稿したコンテンツ情報を更新できるので、閲覧者４００の分かりづらかったコンテンツ情報を、分かりやすいコンテンツ情報に更新することができる。
【００４７】
図２は、第１の実施の形態に係る情報処理装置のネットワーク構成を示すブロック図である。
図２に示すように、情報処理装置１００はネットワーク２００を介して、投稿者３００が有する端末機器、および複数の閲覧者４００がそれぞれ有する端末機器に接続されている。
【００４８】
ネットワーク２００は、例えばインターネット回線であって、電話通信網、ＩＰ網、専用線など、相互に情報通信が行えるものである。
投稿者３００が有する端末機器は、ネットワーク２００を介して情報処理装置１００に接続されており、投稿者３００が投稿したコンテンツ情報が情報処理装置１００に入力される。
【００４９】
各閲覧者４００が有する端末機器は、ネットワーク２００を介して情報処理装置１００に接続されており、投稿者３００によって投稿されたコンテンツ情報を、情報処理装置が処理し、各閲覧者４００が有する端末機器にコンテンツ表示情報が送信される。
【００５０】
図３は、投稿者によって投稿されたコンテンツ情報を情報処理装置が受信してから、投稿されたコンテンツ情報が投稿者３００によって更新されるまでの処理を示すフローチャートである。以下、図３に示す処理をステップ番号に沿って説明する。
【００５１】
〔ステップＳ０１〕投稿者３００は、コンテンツ情報Ｃｎｔ００１を、情報処理装置１００に投稿する。具体的には、情報処理装置１００では、コンテンツ情報取得部１２０がコンテンツ情報Ｃｎｔ００１を受信し、記憶部１５０にコンテンツ情報Ｃｎｔ００１が記憶される。
【００５２】
〔ステップＳ０２〕閲覧者４００は、コンテンツ情報Ｃｎｔ００１を閲覧する。具体的には、閲覧者４００が、端末機器から情報処理装置１００に対して、コンテンツ情報Ｃｎｔ００１を閲覧するための閲覧要求を送信し、この閲覧要求に対して表示情報生成部１３０が記憶部１５０に記憶されたコンテンツ情報Ｃｎｔ００１に基づいてコンテンツ表示情報を生成し、閲覧者４００が有する端末機器にコンテンツ情報Ｃｎｔ００１によるコンテンツ表示情報を送信することで、閲覧者４００が有する端末機器にコンテンツ情報Ｃｎｔ００１によるコンテンツ表示情報が表示される。
【００５３】
〔ステップＳ０３〕閲覧者４００は、コンテンツ情報Ｃｎｔ００１に対する補足情報Ｓｐｔ００１を、情報処理装置１００に投稿する。具体的には、情報処理装置１００では、補足情報取得部１４０が補足情報Ｓｐｔ００１を受信し、記憶部１５０にコンテンツ情報Ｃｎｔ００１が記憶される。
【００５４】
〔ステップＳ０４〕閲覧者４００または投稿者３００は、補足情報Ｓｐｔ００１が付加されたコンテンツ情報Ｃｎｔ００１を閲覧する。具体的には、閲覧者４００または投稿者３００が、端末機器から情報処理装置１００に対して、コンテンツ情報Ｃｎｔ００１を閲覧するための閲覧要求を送信し、この閲覧要求に対して表示情報生成部１３０が記憶部１５０に記憶されたコンテンツ情報Ｃｎｔ００１および補足情報Ｓｐｔ００１に基づいてコンテンツ表示情報および補足表示情報を生成し、閲覧者４００または投稿者３００が有する端末機器に補足情報Ｓｐｔ００１が付加されたコンテンツ情報Ｃｎｔ００１の表示情報を送信することで、閲覧者４００または投稿者３００が有する端末機器に補足情報Ｓｐｔ００１が付加されたコンテンツ情報Ｃｎｔ００１が表示される。
【００５５】
なお、ステップＳ０４の処理後、必要に応じてステップＳ０３〜ステップＳ０４の処理を繰り返してもよく、その場合には、繰り返しの処理に応じてコンテンツ情報Ｃｎｔ００１に付加される補足情報は、補足情報Ｓｐｔ００１、補足情報Ｓｐｔ００２・・・と増加していく。
【００５６】
〔ステップＳ０５〕投稿者３００は、補足情報Ｓｐｔ００１に基づいて更新したコンテンツ情報Ｃｎｔ００１＃を、情報処理装置１００に投稿する。具体的には、情報処理装置１００では、コンテンツ情報取得部１２０が更新されたコンテンツ情報Ｃｎｔ００１＃を受信し、記憶部１５０にコンテンツ情報Ｃｎｔ００１＃が記憶される。
【００５７】
〔ステップＳ０６〕閲覧者４００または投稿者３００は、更新されたコンテンツ情報Ｃｎｔ００１＃を閲覧する。具体的には、閲覧者４００または投稿者３００が、端末機器から情報処理装置１００に対して、コンテンツ情報Ｃｎｔ００１を閲覧するための閲覧要求を送信し、この閲覧要求に対して表示情報生成部１３０が記憶部１５０に記憶されたコンテンツ情報Ｃｎｔ００１、更新されたコンテンツ情報Ｃｎｔ００１＃、および補足情報Ｓｐｔ００１に基づいて表示情報を生成し、閲覧者４００または投稿者３００が有する端末機器に更新されたコンテンツ情報Ｃｎｔ００１＃の表示情報を送信することで、閲覧者４００または投稿者３００が有する端末機器に更新されたコンテンツ情報Ｃｎｔ００１＃が表示される。また更新されたコンテンツ情報Ｃｎｔ００１＃には補足情報Ｓｐｔ００１を付加して表示することもできる。
【００５８】
なお、ステップＳ０６の処理後、必要に応じてステップＳ０３〜ステップＳ０６の処理を繰り返してもよく、その場合には、繰り返しの処理に応じて更新されたコンテンツ情報Ｃｎｔ００１＃に付加される補足情報は、補足情報Ｓｐｔ００１、補足情報Ｓｐｔ００２・・・と増加していく。または、コンテンツ情報が、コンテンツ情報Ｃｎｔ００１＃、コンテンツ情報Ｃｎｔ００１＃＃・・・と更新されていく。
【００５９】
図４は、補足情報取得部の詳細を示すブロック図である。
図４に示すように、補足情報取得部１４０は、補足情報位置特定部１４１および補足情報受付部１４２を備えている。
【００６０】
補足情報位置特定部１４１は、通信手段１１０および記憶部１５０に接続されており、コンテンツ情報内において閲覧者４００が補足情報を付加する位置として、補足情報を付加する表示ページを特定するためのものである。補足情報位置特定部１４１が特定した補足情報を付加する位置情報は記憶部１５０に記憶される。
【００６１】
補足情報受付部１４２は、通信手段１１０および記憶部１５０に接続されており、コンテンツ内において閲覧者４００が付加する補足情報を受け付けるためのものである。補足情報受付部１４２が受け付けた補足情報は記憶部１５０に記憶される。
【００６２】
上記のように、補足情報位置特定部１４１が、閲覧者４００がコンテンツ情報に付加する補足情報の位置を特定し、補足情報受付部１４２が、閲覧者４００がコンテンツ情報に付加する補足情報を受け付けるので、コンテンツ情報内で閲覧者４００が付加する補足情報の内容と付加する位置が明確になり、公開されたコンテンツ情報に対する作業手順を閲覧者４００がより忠実に再現可能にすることができる。
【００６３】
図５は、補足情報受付部の詳細を示すブロック図である。
図５に示すように、補足情報受付部１４２は、コメント情報受付部１４２１、画像情報受付部１４２２、および評価情報受付部１４２３を備えている。
【００６４】
コメント情報受付部１４２１は、通信手段１１０および記憶部１５０に接続されており、コンテンツ情報内において閲覧者４００が付加する補足情報のうち、閲覧者４００がコンテンツ情報の作業手順を実施したことに対する感想、不明点、失敗談などの文字情報であるコメント情報を受け付けるためのものである。コメント情報受付部１４２１が受け付けたコメント情報は、記憶部１５０に記憶される。
【００６５】
画像情報受付部１４２２は、通信手段１１０および記憶部１５０に接続されており、コンテンツ情報内において閲覧者４００が付加する補足情報のうち、閲覧者４００がコンテンツ情報の作業手順を実施したことに対する画像情報を受け付けるためのものである。例えば、閲覧者４００がコンテンツ情報の作業手順を実施した結果の画像情報や、途中で失敗してしまった状態の画像情報を閲覧者４００が送信し、画像情報受付部１４２２がその画像を受け付ける。画像情報受付部１４２２が受け付けたコメント情報は、記憶部１５０に記憶される。
【００６６】
評価情報受付部１４２３は、通信手段１１０および記憶部１５０に接続されており、コンテンツ情報内において閲覧者４００が付加する補足情報のうち、閲覧者４００がコンテンツ情報に対する選択式の評価を受け付けるためのものである。例えば、コンテンツ情報に対して閲覧者４００が「良い」または「悪い」、あるいは「分かる」または「分からない」という単純化した評価を閲覧者４００に選択させる。評価情報受付部１４２３が受け付けた評価情報は、記憶部１５０に記憶される。
【００６７】
なお、評価情報は「良い」や「分かる」といったポジティブな評価よりも、「悪い」や「分からない」といったネガティブな評価の方が閲覧者４００は送信しやすい傾向があるので、閲覧者４００に選択させる評価情報をネガティブな評価情報から選択させることで、評価情報の取得数を上げることができる。
【００６８】
図６は、表示情報生成部の詳細を示すブロック図である。
図６に示すように、表示情報生成部１３０は、コンテンツ表示情報生成部１３１、補足表示情報生成部１３２、およびスライド表示情報生成部１３３を備えている。
【００６９】
コンテンツ表示情報生成部は、通信手段１１０および記憶部１５０に接続されており、記憶部１５０に記憶されたコンテンツ情報を取り出して、閲覧者４００または投稿者３００が所有する端末機器に表示するためウェブページなどのコンテンツ表示情報を生成するためのものである。生成されたコンテンツ表示情報は、通信手段１１０を介して閲覧者４００または投稿者３００に送信される。
【００７０】
またコンテンツ表示情報生成部は、閲覧者４００または投稿者３００が所有する端末機器に表示するためウェブページなどのコンテンツ表示情報を生成するだけでなく、コンテンツ表示情報を外部機器で印刷可能な印刷情報を出力することができる。
【００７１】
補足表示情報生成部１３２は、通信手段１１０および記憶部１５０に接続されており、記憶部１５０に記憶された補足情報を取り出し、コンテンツ表示情報生成部が生成したコンテンツ情報内の特定の位置に補足情報を表示するための補足表示情報を生成するためのものである。生成された補足表示情報は、コンテンツ表示情報と共に通信手段１１０を介して閲覧者４００または投稿者３００に送信される。
【００７２】
スライド表示情報生成部１３３は、通信手段１１０および記憶部１５０に接続されており、記憶部１５０に記憶されたコンテンツ情報および補足情報を取り出し、取り出した投稿者３００によるコンテンツ情報内の画像情報および画像情報に付帯する文字情報をスライド形式で表示するスライド表示情報を生成するためのものである。
【００７３】
具体的には、コンテンツ情報内には、作業手順として複数の写真や文字情報が時系列に沿って掲載されており、それが１つのウェブページとして上から下に向かって掲載される。なお、時系列に掲載される作業手順は、上から下に限らず、左から右など任意の方向に向かって掲載するようにしてもよい。
【００７４】
これをスライド表示情報生成部１３３は編集することで、１つの画像情報に対する手順説明の文字情報を１つのスライド情報として、複数のスライド情報を連続的に表示するスライド表示情報を生成する。
【００７５】
閲覧者４００は、スライド表示情報生成部１３３が生成したスライド表示情報を自動再生することで、自動で次のスライドに遷移するので、閲覧者４００はスライド表示情報による作業手順を閲覧しながら作業を行なうことができる。
【００７６】
またスライド表示情報生成部１３３は、記憶部１５０に記憶されたコンテンツ情報からのみスライド表示情報を生成するだけでなく、コンテンツ情報に付加される補足情報も関連させたスライド表示情報を生成することもできる。
【００７７】
さらにスライド表示情報生成部１３３は、記憶部１５０に記憶されたコンテンツ情報からのみスライド表示情報を生成するだけでなく、コンテンツ情報に付加される補足情報も関連させたスライド表示情報を外部機器で印刷可能な印刷情報を出力することができる。
【００７８】
図７は、記憶部の詳細を示すブロック図である。
図７に示すように、記憶部１５０は、コンテンツ情報記憶部１５１、および補足情報記憶部１５２を備えている。
【００７９】
コンテンツ情報記憶部１５１は、投稿者３００が投稿したコンテンツ情報を記憶するためのものである。
補足情報記憶部１５２は、閲覧者４００が投稿した補足情報を記憶するためのものである。
【００８０】
図８は、コンテンツ情報記憶部の詳細を示すブロック図である。
図８に示すように、コンテンツ情報記憶部１５１にはコンテンツ００１、コンテンツ００２・・・のように複数のコンテンツ情報が記憶されている。
【００８１】
コンテンツ情報は、例えば手順情報として、１つの手順に対する静止画像や動画などの画像情報に対して、画像情報を説明する文字情報が記憶されており、これらの画像情報および文字情報からなる手順情報が時系列に連続することとで、１つの作業情報としてコンテンツ情報が構成されている。
【００８２】
図９は、補足情報記憶部の詳細を示すブロック図である。
図９に示すように、補足情報記憶部１５２は、コメント情報記憶部１５２１、画像情報記憶部１５２２、評価情報記憶部１５２３、および補足情報位置記憶部１５２４を備えている。
【００８３】
コメント情報記憶部１５２１は、コメント情報受付部１４２１が受け付けた閲覧者４００によるコメント情報を記憶するためのものである。
画像情報記憶部１５２２は、画像情報受付部１４２２が受け付けた閲覧者４００による画像情報を記憶するためのものである。
【００８４】
評価情報記憶部１５２３は、評価情報受付部１４２３が受け付けた閲覧者４００による評価情報を記憶するためのものである。
補足情報位置記憶部１５２４は、補足情報位置特定部１４１が特定した閲覧者４００による補足情報を付加する位置情報を記憶するためのものである。
【００８５】
図１０は、コンテンツ情報および補足情報によるスライド表示情報の概念を示すブロック図である。
図１０に示すように、スライド表示情報６００は、コンテンツ情報が表示されるコンテンツ表示部６１０、および補足情報が表示される補足情報表示部６２０を備えている。
【００８６】
コンテンツ表示部６１０には、１つの作業情報を示す静止画像または動画による画像情報６１１および画像情報６１１を説明するための文字情報６１２を備えている。この画像情報６１１および文字情報６１２で、閲覧者は１手順の作業情報を得ることができる。
【００８７】
補足情報表示部６２０には、コンテンツ表示部６１０を閲覧した閲覧者４００による評価を受け付ける評価ボタン６２１、および閲覧者４００がコメントを入力するコメント入力欄６２２が設けられる。
【００８８】
評価ボタン６２１は閲覧者４００に評価を選択式に入力させるために、「悪い」ボタン６２１１、および「分からない」ボタン６２１２を備えている。これは前述の通り、評価情報の取得数を上げるためにネガティブな評価を得るために「悪い」ボタン６２１１、およびコンテンツ表示部コンテンツ表示部IＤ画像が用意されている。
【００８９】
評価ボタン６２１は、このほか「良い」または「悪い」、あるいは「分かる」または「分からない」という単純化した評価を閲覧者４００に選択させるボタンを設けるようにしてもよい。
【００９０】
またここで閲覧者４００が押下した評価ボタン６２１の情報は、情報処理装置１００に送信され、評価情報受付部１４２３が評価情報を取得し、取得した評価情報を評価情報受付部１４２３が記憶部１５０に記憶させる。
【００９１】
コメント入力欄６２２は、閲覧者４００がコンテンツ表示部６１０に表示された作業手順を実施したことに対する感想、不明点、失敗談などの文字情報であるコメント情報を受け付けるためのものである。
【００９２】
またここで閲覧者４００が入力したコメント入力欄６２２のコメント情報は、情報処理装置１００に送信され、コメント情報受付部１４２１がコメント情報を取得し、取得したコメント情報をコメント情報受付部１４２１が記憶部１５０に記憶させる。
【００９３】
このほか閲覧者４００が投稿した画像情報を情報処理装置１００に送信し、画像情報受付部１４２２が画像情報を取得し、取得した画像情報を画像情報受付部１４２２が記憶部１５０に記憶させることもできる。
【００９４】
またコンテンツ表示部６１０に対して入力された評価情報およびコメント情報は、補足情報位置特定部１４１がコンテンツ表示部６１０に対する補足情報として位置情報を取得し、記憶部１５０に位置情報を記憶させる。
【００９５】
なお図１０では、スライド表示情報生成部１３３により生成されたスライド表示情報を例として説明したが、コンテンツ表示情報生成部１３１が生成するコンテンツ表示情報も同様に、コンテンツ表示部６１０、および補足情報が表示される補足情報表示部６２０を備え、コンテンツ表示部６１０には、画像情報６１１および文字情報６１２を設け、補足情報表示部６２０には、評価ボタン６２１およびコメント入力欄６２２を設けることができる。
【００９６】
図１１は、補足情報位置特定部が特定し補足情報位置記憶部に記憶する補足情報の位置情報のデータ構造例を示す図である。
図１１に示すように、補足情報の位置情報には、キーとして位置ＩＤ（identification）欄が設けられ、補足情報が付加されるコンテンツ表示情報を示すコンテンツＩＤ欄、および補足情報が付加されるスライド表示情報を示すスライドＩＤ欄の各欄が設けられている。各欄の縦方向に並べられた情報同士が互いに関連づけられ、補足情報の位置情報に関するレコードを構成している。
【００９７】
「位置ＩＤ」の欄には、補足情報が付加される位置を識別するための識別情報である位置情報固有の文字列が設定されている。
「コンテンツＩＤ」の欄には、補足情報が付加されるコンテンツ情報を識別するための識別情報であるコンテンツ情報固有の文字列が設定されている。
「スライドＩＤ」の欄には、補足情報が付加されるスライド情報を識別するための識別情報であるスライド情報固有の文字列が設定されている。
【００９８】
図１２は、評価情報記憶部が記憶する評価情報のデータ構造例を示す図である。
図１２に示すように、評価情報には、キーとして評価ＩＤ欄が設けられ、補足情報の評価情報が付加される位置情報を示す位置ＩＤ欄、閲覧者４００によって選択式に入力される評価内容を示す評価欄、評価をした閲覧者４００を示す評価者欄、および閲覧者４００が評価した日時を示す評価時間欄の各欄が設けられている。各欄の縦方向に並べられた情報同士が互いに関連づけられ、評価情報に関するレコードを構成している。
【００９９】
「評価ＩＤ」の欄には、評価情報を識別するための識別情報である評価情報固有の文字列が設定されている。
「位置ＩＤ」の欄には、補足情報が付加される位置を識別するための識別情報である位置情報固有の文字列が設定されている。
【０１００】
「評価」の欄には、閲覧者４００が評価した評価内容の情報が設定されている。
「評価者」の欄には、評価をした閲覧者４００を識別するための識別情報である評価者情報固有の文字列が設定されている。
【０１０１】
「評価時間」の欄には、閲覧者４００が評価をした日時の情報が設定されている。
図１３は、コメント情報記憶部が記憶するコメント情報のデータ構造例を示す図である。
【０１０２】
図１３に示すように、コメント情報には、キーとしてコメントＩＤ欄が設けられ、コメント情報が付加される位置情報を示す位置ＩＤ欄、コメント情報の内容を示すコメント欄、コメントを投稿した閲覧者４００を示す評価者欄、および閲覧者４００がコメントを投稿した日時を示す評価時間欄の各欄が設けられている。各欄の縦方向に並べられた情報同士が互いに関連づけられ、コメント情報に関するレコードを構成している。
【０１０３】
「コメントＩＤ」の欄には、コメント情報を識別するための識別情報であるコメント情報固有の文字列が設定されている。
「位置ＩＤ」の欄には、コメント情報が付加される位置を識別するための識別情報である位置情報固有の文字列が設定されている。
【０１０４】
「コメント」の欄には、閲覧者４００がコメントを投稿したコメント内容の情報が設定されている。
「評価者」の欄には、コメントを投稿した閲覧者４００を識別するための識別情報である評価者情報固有の文字列が設定されている。
「評価時間」の欄には、閲覧者４００がコメントを投稿した日時の情報が設定されている。
【０１０５】
図１４は、投稿者が投稿するコンテンツ情報の編集画面の一例を示す図である。
ここでは、投稿者３００が投稿するカレーの調理手順を紹介するコンテンツ情報として説明する。
【０１０６】
図１４に示すように、編集画面７００は、表示切換ボタン７１０、手順リスト欄７２０、紹介情報欄７３０、および詳細情報欄７４０を備えている。
表示切換ボタン７１０は、投稿者３００が編集する編集画面から、閲覧者４００または投稿者３００が閲覧する通常表示に画面の表示状態を切り替えるためのボタンである。
【０１０７】
表示切換ボタン７１０に「プレビューする」と表示されている場合は、投稿者３００が表示切換ボタン７１０を押下することで、通常表示画面に切り替わる。これにより閲覧者４００から、コンテンツ情報がどのように表示されているか確認することができる。
【０１０８】
また表示切換ボタン７１０に「編集する」と表示されている場合は、投稿者３００が表示切換ボタン７１０を押下することで、編集画面に切り替わる。これにより投稿者３００はコンテンツ情報を編集することができる。
【０１０９】
手順リスト欄７２０は、コンテンツ情報の手順を入力および表示するための欄である。手順リスト欄７２０は常に左側に固定されて表示されており、右側の紹介情報欄７３０、および詳細情報欄７４０が上下スクロールしても表示画面の固定された位置で手順リスト欄７２０が表示される。
【０１１０】
また手順リスト欄７２０は、例えば「紹介」「道具」「材料」「調理」などの大項目７２１があらかじめ用意されており、これらの大項目７２１は必要に応じて追加または削除ができる。
【０１１１】
大項目７２１の下位には、例えば料理項目の下位に「１．材料カット」のように手順１、手順２、手順３と小項目７２２を設定することができる。また大項目７２１または小項目７２２を手順リスト欄７２０に追加すると、後に説明する詳細情報欄７４０に大項目７２１または小項目７２２に対応した入力欄が作成される。
【０１１２】
紹介情報欄７３０は、料理の概要を入力するための欄である。
紹介情報欄７３０の上部には、紹介するコンテンツ情報が表示される階層情報７３１が表示される。
【０１１３】
料理名入力欄７３２には、例えば「家庭料理の定番カレー」のように料理名の文字情報が入力される。
画像入力欄７３３には、投稿する料理のメイン画像７３４、および調理過程の画像情報である複数のサブ画像７３５を登録することができる。通常表示画面の時、サブ画像７３５は、左右にスクロールすることで複数のサブ画像７３５を表示することができる。
【０１１４】
テキスト入力欄７３６には、紹介する料理の紹介情報の文字情報が入力される。
テキスト入力欄７３６の下部には、紹介する料理の目安を設定する目安項目欄７３７が設けられる。ここでは例として、時間入力欄、費用入力欄、難しさ入力欄が設けられている。これらはプルダウンメニューから該当する項目を投稿者３００が選択することで設定される。
【０１１５】
タグ入力欄７３８は、コンテンツ情報を分類するためのタグを最大２０個まで登録でき、投稿者３００は必要に応じてタグの追加および削除を行なうことができる。
保存ボタン７３９は、編集内容を保存するためのボタンであり、投稿者３００が保存ボタンを押下することで編集内容が保存される。また保存しない状態で、表示切換ボタン７１０を押下し、プレビューした場合、このまま保存するか否かの確認ダイヤログが表示される。
【０１１６】
詳細情報欄７４０は、紹介する料理の詳細情報を入力するための欄である。
手順リスト欄７２０への大項目７２１の入力により、あらかじめ設定された道具入力欄７４１、材料入力欄７４２には表が設定されており、この表に文字情報を投稿者３００が入力する。表の行追加および削除、列追加および削除は投稿者３００任意に設定することができる。
【０１１７】
調理手順入力欄７４３には、調理手順および手順をスライド表示するための情報を設定することができる。
具体的には、調理入力欄の左側には画像の表示時間を設定する時間設定欄７４３１、中央には調理手順の画像を設定する画像設定欄７４３２、右側には文字情報を設定する文字情報設定欄７４３３が設けられ、投稿者３００による時間設定欄７４３１で設定された任意の時間で、画像設定欄７４３２で設定された静止画や動画の画像情報が表示され、その画像情報に対する文字情報設定欄７４３３で設定された文字情報が表示される。
【０１１８】
なお、設定される時間には、画像情報または文字情報のいずれかを入力する必要があり、時間は最大１５分、１コマ６秒間隔で１５０コマ登録することができる。また、画像の表示時間を設定する時間は、上記に限られるものではなく、記憶部１５０の容量などによって自由に変更できる。
【０１１９】
図１５は、投稿者が投稿したコンテンツ情報を閲覧者が閲覧する通常表示の表示画面の一例を示す図である。
図１５に示すように、表示画面８００は、表示切換ボタン８１０、手順リスト欄８２０、紹介情報欄８３０、および詳細情報欄８４０を備えている。
【０１２０】
表示切換ボタン８１０は、調理手順が時系列に縦に掲載された「通常表示」と、調理手順を拡大表示し、手順毎に画面を切り替えて表示する「拡大表示」とを替えるためのボタンである。
【０１２１】
表示切換ボタン８１０に「拡大表示する」と表示されている場合は、投稿者３００が表示切換ボタン７１０を押下することで、拡大表示画面に切り替わる。
また表示切換ボタン８１０に「通常表示する」と表示されている場合は、投稿者３００が表示切換ボタン７１０を押下することで、通常表示画面に切り替わる。
【０１２２】
手順リスト欄８２０は、コンテンツ情報の手順を表示するための欄である。手順リスト欄８２０は常に左側に固定されて表示されており、手順リスト欄８２０に表示された大項目８２１および小項目８２２を閲覧者４００が押下すると、右側の詳細情報欄８４０に該当する項目が表示される。
【０１２３】
紹介情報欄８３０は、料理の概要を表示するための欄である。
紹介情報欄８３０の上部には、紹介するコンテンツ情報が表示される階層情報８３１が表示される。
【０１２４】
階層情報８３１の下には、料理名８３２が大きく表示される。
料理名８３２の下には、料理や調理手順の画像が表示される画像表示欄８３３が設けられる。画像表示欄８３３には、投稿する料理のメイン画像８３４、および調理過程の画像情報である複数のサブ画像８３５が表示され、サブ画像８３５は、左右にスクロールすることで複数のサブ画像８３５を表示することができる。
【０１２５】
また編集画面７００で登録されたサブ画像８３５は、閲覧者４００が押下することで、メイン画像８３４にサブ画像８３５が大きく表示される。
画像表示欄８３３の右側にはテキスト表示欄８３６が設けられ、紹介する料理の紹介情報の文字情報が表示される。
【０１２６】
テキスト表示欄８３６の下には、編集画面７００で登録された目安項目が目安項目欄８３７に「時間」、「費用」、「難しさ」として表示される。
画像表示欄８３３の下には、コンテンツ情報を分類するために設定されたタグ表示欄８３８にタグが表示される。
【０１２７】
詳細情報欄８４０は、紹介する料理の詳細情報を表示するための欄である。
手順リスト欄８２０で表示された大項目８２１が項目毎に表示される。具体的には、道具表示欄８４１、材料表示欄８４２、調理手順表示欄８４３が上から順に表示され、調理手順表示欄８４３には、設定された各手順が時系列順に上から画像情報および文字情報と共に表示される。
【０１２８】
図１６は、投稿者が投稿したコンテンツ情報を閲覧者が閲覧するコンテンツ情報が拡大表示されたスライド表示情報の一部の表示画面を示す図である。
図１６に示すように、スライド表示画面９００は、表示切換ボタン９１０、料理名表示欄９２０、画像表示欄９３０、テキスト表示欄９４０、コメント入力欄９５０、コメントタイムライン表示欄９６０、および評価登録表示欄９７０を備えている。
【０１２９】
スライド表示画面９００は、図１５で表示されたコンテンツ情報を拡大表示したものであり、登録された料理手順が手順毎に１画面で表示される。
料理名表示欄９２０には、設定された料理名が表示される。
【０１３０】
画像表示欄９３０には、設定された複数の料理手順のうち、１手順の画像を表示するためのものである。
テキスト表示欄９４０は、画像表示欄９３０に対して設定された文字情報であり、画像表示欄９３０に表示された料理手順を説明する文字情報が表示される。
【０１３１】
コメント入力欄９５０は、閲覧者４００が閲覧したスライド表示画面９００に対して感想、不明点、失敗談などの文字情報を入力するためのものである。
ここで入力された情報は入力された画像表示欄９３０の情報、入力した閲覧者４００の情報などと共に情報処理装置１００に送信される。
【０１３２】
具体的には、コメント入力欄９５０が設置されたコンテンツ情報のコンテンツＩＤ、およびコメント入力欄９５０が設置されたスライド表示情報のスライドＩＤ、がコメント入力欄９５０に入力された文字情報および閲覧者４００の識別情報と共に情報処理装置１００に送信される。
【０１３３】
これにより、補足情報位置特定部１４１がコンテンツＩＤおよびスライドＩＤを取得することで補足情報であるコメント入力欄９５０に入力されたコメント情報を取得する位置情報を取得し、補足情報受付部１４２が補足情報であるコメント情報を受け付ける。
【０１３４】
コメントタイムライン表示欄９６０は、コメント入力欄９５０で入力された複数の閲覧者４００によるコメント情報を時系列に表示するためのものである。
コメントタイムライン表示欄９６０に様々な閲覧者４００によるコメント情報が表示されることで、投稿者３００による画像表示欄９３０やテキスト表示欄９４０だけでは不足していた情報を補完することができる。
【０１３５】
具体的には、４月４日のコメント情報では、野菜を細く切りすぎたため煮込み時に野菜が消えた情報が写真と共に表示されている。この情報により、他の閲覧者４００は表示された写真より太く切るべきである、という情報を得ることができる。
【０１３６】
また４月６日のコメント情報では、野菜を大きく切ってしまったため、中まで火が通らなかったとうコメント情報が表示されている。この情報により、他の閲覧者４００は１０ｃｍでカットした野菜は火が通りにくい、というJY方法を得ることができる。
【０１３７】
このように、投稿者３００が投稿した情報に対して、閲覧者４００が補足する場所を特定して投稿したコメント情報を共有することで、投稿者３００によるコンテンツ情報を補完し合うことができる。
【０１３８】
また、投稿者３００は、閲覧者４００によるコメント情報を閲覧することで、自ら投稿したコンテンツ情報を修正することができる。具体的には、投稿者３００が投稿した情報には、野菜をきる具体的な大きさが記載されておらず、閲覧者４００によるコメント情報から、野菜を切る大きさを失敗したことで閲覧者４００が料理を忠実に再現できなかったことを理解することできる。
【０１３９】
これにより投稿者３００は、自ら投稿したコンテンツ情報を修正し、具体的な野菜の切り方を投稿し直すことができる。修正されたコンテンツ情報を閲覧者４００が閲覧することで、コンテンツ情報に修正して掲載された料理を閲覧者４００が忠実に再現できるようになる。
【０１４０】
評価登録表示欄９７０は、スライド表示画面９００に対して評価の登録、およびスライド表示画面９００に対して評価を表示するためのものである。
評価登録表示欄９７０は、例えば、「いいね」ボタン９７１、「悪いね」ボタン９７２、およびコメント情報数表示部９７３を備えている。
【０１４１】
「いいね」ボタン９７１を閲覧者４００がクリックすることで、閲覧者４００による評価情報が、評価した閲覧者４００の情報などと共に情報処理装置１００に送信される。
具体的には、「いいね」ボタン９７１が設置されたコンテンツ情報のコンテンツＩＤ、および、「いいね」ボタン９７１が設置されたスライド表示情報のスライドＩＤ、が閲覧者４００による評価情報および閲覧者４００の識別情報と共に情報処理装置１００に送信される。
【０１４２】
これにより、補足情報位置特定部１４１がコンテンツＩＤおよびスライドＩＤを取得することで補足情報である評価情報を取得する位置情報を取得し、補足情報受付部１４２が補足情報である評価情報を受け付ける。
【０１４３】
同様に、「悪いね」ボタン９７２を閲覧者４００がクリックすることで、閲覧者４００による評価情報が、評価した閲覧者４００の情報などと共に情報処理装置１００に送信される。
【０１４４】
また、「いいね」ボタン９７１および「悪いね」ボタン９７２の右側には、閲覧者４００が評価した評価情報の集計数が表示される。これにより、このスライド表示情報の閲覧者４００による客観的な評価が数値として表示される。
【０１４５】
コメント情報数表示部９７３は、表示されているスライド表示情報に対してコメント入力欄９５０に入力されたコメント情報の集計数が表示されている。これにより、このスライド表示情報の閲覧者４００による反響値が数値として表示される。
【０１４６】
〔第２の実施の形態〕
次に、本発明の第２の実施の形態について説明する。本実施の形態の情報処理装置は、補足情報位置特定部が特定する位置情報が異なる以外は、第１の実施の形態で示した構成とほぼ同様である。このため、上記第１の実施の形態とほぼ同様の構成部分については同一の符号を付すなどして適宜その説明を省略する。
【０１４７】
図１７は、補足情報位置特定部が特定し補足情報位置記憶部に記憶する補足情報の位置情報のデータ構造例を示す図である。
図１７に示すように、補足情報の位置情報には、キーとして位置ＩＤ欄が設けられ、補足情報が付加されるコンテンツ表示情報を示すコンテンツＩＤ欄、補足情報が付加されるスライド表示情報を示すスライドＩＤ欄、補足情報が付加される選択された文字情報を示す選択文字情報欄、および選択文字情報の位置情報を示す文字位置情報欄の各欄が設けられている。各欄の縦方向に並べられた情報同士が互いに関連づけられ、補足情報の位置情報に関するレコードを構成している。
【０１４８】
「位置ＩＤ」の欄には、補足情報が付加される位置を識別するための識別情報である位置情報固有の文字列が設定されている。
「コンテンツＩＤ」の欄には、補足情報が付加されるコンテンツ情報を識別するための識別情報であるコンテンツ情報固有の文字列が設定されている。
【０１４９】
「スライドＩＤ」の欄には、補足情報が付加されるスライド情報を識別するための識別情報であるスライド情報固有の文字列が設定されている。
「選択文字情報」の欄には、閲覧者４００が補足情報を付加するために、コンテンツ情報内で選択された文字列が設定されている。
【０１５０】
「文字位置情報」の欄には、選択文字情報がスライド情報内で、どの位置に存在するのかの情報が設定されている。例えば、スライド情報内に記載されたテキスト情報の「２４文字目から始まり２８文字目まで」のように選択文字情報の位置情報が設定される。
【０１５１】
図１８は、投稿者が投稿したコンテンツ情報を閲覧者が閲覧するコンテンツ情報が拡大表示されたスライド表示情報の一部の表示画面を示す図である。
図１８に示すように、テキスト表示欄９４０は、画像表示欄９３０に表示された料理手順を説明する文字情報が表示されている。
【０１５２】
さらにテキスト表示欄９４０に表示されたテキスト情報には、閲覧者４００が補足情報であるコメント情報を付加するために「大きく切る」という文字列が選択された状態である選択文字情報９４１が示されている。
【０１５３】
またコメント入力欄９５０には、選択文字情報９４１に対して閲覧者４００が入力したコメント情報が記載されている。
ここで入力されたコメント情報は、入力された画像表示欄９３０の情報、選択文字情報９４１、選択文字情報９４１の位置情報、入力した閲覧者４００の情報などと共に情報処理装置１００に送信される。
【０１５４】
具体的には、コメント入力欄９５０が設置されたコンテンツ情報のコンテンツＩＤ、およびコメント入力欄９５０が設置されたスライド表示情報のスライドＩＤ、選択文字情報９４１、選択文字情報９４１の位置情報、がコメント入力欄９５０に入力された文字情報および閲覧者４００の識別情報と共に情報処理装置１００に送信される。
【０１５５】
これにより、補足情報位置特定部１４１がコンテンツＩＤおよびスライドＩＤ、選択文字情報、および文字位置情報を取得することで補足情報であるコメント入力欄９５０に入力されたコメント情報を取得する位置情報を取得し、補足情報受付部１４２が補足情報であるコメント情報を受け付ける。
【０１５６】
第１の実施の形態では、スライド表示情報毎に補足情報が付加される位置情報を補足情報位置特定部１４１が取得したが、第２の実施の形態では、投稿者３００によるコンテンツ情報の内、特定の文字列を特定して補足情報を付加し、その特定の文字列の位置情報を補足情報位置特定部１４１が取得するので、補足情報が付加される位置がより具体的にすることができる。
【０１５７】
図１８の例では、投稿者３００による「大きく切る」という文字列を特定して、閲覧者４００が「切る大きさが分かりにくい」というコメントを投稿しているので、このコメント情報を投稿者３００が閲覧することで、投稿者３００がスライド情報を修正することができるので、修正後スライド情報を閲覧すれば投稿者３００が作る料理を閲覧者４００が忠実に再現することができるようになる。
【０１５８】
なお、本実施の形態ではスライド表示情報に補足情報を付加したが、通常表示であるコンテンツ表示情報に対して特定の文字列を選択し、その選択された文字列に補足情報であるコメント情報を投稿するようにしてもよい。
【０１５９】
〔第３の実施の形態〕
次に、本発明の第３の実施の形態について説明する。本実施の形態の情報処理装置は、補足情報位置特定部が特定する位置情報が異なる以外は、第１の実施の形態で示した構成とほぼ同様である。このため、上記第１の実施の形態とほぼ同様の構成部分については同一の符号を付すなどして適宜その説明を省略する。
【０１６０】
図１９は、補足情報位置特定部が特定し補足情報位置記憶部に記憶する補足情報の位置情報のデータ構造例を示す図である。
図１９に示すように、補足情報の位置情報には、キーとして位置ＩＤ欄が設けられ、補足情報が付加される画像を示す画像ＩＤ欄、補足情報が付加される画像内の基準位置を示す基準位置情報、補足情報を付加するために画像内で選択された範囲を示す範囲情報欄、補足情報を付加するために画像内で選択された範囲の形状を示す範囲形状欄、および補足情報を付加するために画像内で選択された範囲の角度を示す角度欄の各欄が設けられている。各欄の縦方向に並べられた情報同士が互いに関連づけられ、補足情報の位置情報に関するレコードを構成している。
【０１６１】
「位置ＩＤ」の欄には、補足情報が付加される位置を識別するための識別情報である位置情報固有の文字列が設定されている。
「画像ＩＤ」の欄には、補足情報が付加される静止画や動画の画像情報を識別するための識別情報である画像情報固有の文字列が設定されている。
【０１６２】
「基準位置情報」の欄には、閲覧者４００が補足情報を付加する画像内の基準位置を示す基準位置情報が設定されている。具体的な例として、画像内で補足情報を付加する位置を座標位置情報で表し、その座標位置情報が設定されている。
【０１６３】
「範囲情報」の欄には、閲覧者４００が補足情報を付加する画像内で選択された範囲の範囲情報が設定されている。具体的な例として、選択された範囲の高さや幅の数値が設定されている。
「範囲形状」の欄には、閲覧者４００が補足情報を付加する画像内で選択された範囲の形状情報が設定されている。具体的な例として、選択された範囲の形状が楕円、矩形、多角形など具体的な形状が設定されている。
【０１６４】
「角度」の欄には、閲覧者４００が補足情報を付加する画像内で選択された範囲の角度情報が設定されている。具体的な例として、選択された範囲の形状の傾きが角度として数値で設定されている。
【０１６５】
図２０は、投稿者が投稿したコンテンツ情報を閲覧者が閲覧するコンテンツ情報が拡大表示されたスライド表示情報の一部の表示画面を示す図である。
図２０ではラッピングリボンの結び方の手順を説明する説明書の一図を示している。投稿者３００は、画像表示欄９３０に表示した画像情報と共にテキスト表示欄９４０で表示されたテキスト情報でラッピングリボンの結び方の手順が説明されている。
【０１６６】
これに対して、閲覧者４００は、画像表示欄９３０に表示された画像の選択範囲９３１に対して、箱の裏側の状態が不明である旨のコメント情報を投稿している。
閲覧者４００が投稿したコメント情報は、入力された画像表示欄９３０の情報、選択範囲９３１、入力した閲覧者４００の情報などと共に情報処理装置１００に送信される。
【０１６７】
具体的には、コメント入力欄９５０が設置された画像情報、選択範囲９３１の基準位置情報、範囲情報、範囲形状、角度などの補則位置情報、がコメント入力欄９５０に入力された文字情報および閲覧者４００の識別情報と共に情報処理装置１００に送信される。
【０１６８】
これにより、補足情報位置特定部１４１が画像ＩＤ、基準位置情報、範囲情報、範囲形状、および角度を取得することで補足情報であるコメント入力欄９５０に入力されたコメント情報を取得する位置情報を取得し、補足情報受付部１４２が補足情報であるコメント情報を受け付ける。
【０１６９】
第１の実施の形態、第２の実施の形態では、スライド表示情報毎や選択された文字列毎に補足情報が付加される位置情報を補足情報位置特定部１４１が取得したが、第３の実施の形態では、投稿者３００によるコンテンツ情報の内、特定の画像の一部を選択して補足情報を付加し、その特定の文字列の位置情報を補足情報位置特定部１４１が取得するので、画像に対しても補足情報が付加される位置がより具体的にすることができる。
【０１７０】
なお、図２０では、画像表示欄９３０で表示された静止画に対して、選択範囲９３１を選択し、箱の裏側の状態が不明である旨のコメント情報を投稿したが、画像表示欄９３０に表示された動画に対して、閲覧者４００がコメントを投稿するようにしてもよい。
【０１７１】
図２１は、投稿者が投稿したコンテンツ情報を閲覧者が閲覧するコンテンツ情報が拡大表示されたスライド表示情報の一部の表示画面を示す図である。
図２１では閲覧者４００が投稿したコメント情報に対して、投稿者３００が画像を差し替えた状態を示している。投稿者３００は、画像表示欄９３０に表示した差し替えられた画像情報と共にテキスト表示欄９４０で表示された修正されたテキスト情報でラッピングリボンの結び方の手順が説明されている。
【０１７２】
このように投稿者３００によるスライド表示情報内に表示された画像の一部を選択して閲覧者４００が補足情報を付加することで、投稿者３００は閲覧者４００が不明に感じた点を修正することができる。
【０１７３】
具体的には、修正前のスライド表示情報では、箱の裏側のリボンの配置が分かりづらかったが、閲覧者４００のコメント情報により、投稿者３００が画像情報を差し替えたことで、箱の裏側のリボンの配置が明確になった。
【０１７４】
この修正したスライド表示情報を閲覧者４００が閲覧することで、より分かりやすい情報を閲覧できるので、ラッピングリボンの結び方を忠実に再現することができるようになる。
【０１７５】
図２２は、コンテンツ情報を印刷用に出力した印刷情報の一例を示す図である。
図２２に示すように、コンテンツ表示情報生成部１３１は、最新のコンテンツ情報に基づいて印刷用の印刷情報を出力することができる。
【０１７６】
図２２では、箱の裏側のリボンの配置が明確になった図を用いて、一枚の印刷物で出力されている。このように、閲覧者４００による補足情報の投稿と、投稿者３００によるコンテンツ情報の修正を繰り返すことで、より分かりやすく、再現しやすい作業手順情報や作業手順書を作成することができる。
【０１７７】
なお、図２２では１枚の印刷情報をコンテンツ表示情報生成部１３１が生成したが、同じコンテンツ情報に基づいてスライド表示情報生成部１３３が、プレゼンテーションなどに用いられるスライド資料を生成してもよい。
【符号の説明】
【０１７８】
１００  情報処理装置
１１０  通信手段
１２０  コンテンツ情報取得部
１３０  表示情報生成部
１３１  コンテンツ表示情報生成部
１３２  補足表示情報生成部
１３３  スライド表示情報生成部
１４０  補足情報取得部
１４１  補足情報位置特定部
１４２  補足情報受付部
１５１  コンテンツ情報記憶部
１５２  補足情報記憶部
２００  ネットワーク
３００  投稿者
４００  閲覧者
【図１】
2019204337.tif 000003
【図２】
2019204337.tif 000004
【図３】
2019204337.tif 000005
【図４】
2019204337.tif 000006
【図５】
2019204337.tif 000007
【図６】
2019204337.tif 000008
【図７】
2019204337.tif 000009
【図８】
2019204337.tif 000010
【図９】
2019204337.tif 000011
【図１０】
2019204337.tif 000012
【図１１】
2019204337.tif 000013
【図１２】
2019204337.tif 000014
【図１３】
2019204337.tif 000015
【図１４】
2019204337.tif 000016
【図１５】
2019204337.tif 000017
【図１６】
2019204337.tif 000018
【図１７】
2019204337.tif 000019
【図１８】
2019204337.tif 000020
【図１９】
2019204337.tif 000021
【図２０】
2019204337.tif 000022
【図２１】
2019204337.tif 000023
【図２２】
2019204337.tif 000024
【図２３】
2019204337.tif 000025
【図２４】
2019204337.tif 000026